(57)【特許請求の範囲】
【請求項１】
被写体を撮像して画像データを出力する撮像部と、被写体を測光する測光部と、第１制御部とを備えるカメラと、
前記第１制御部により発光が制御される第１閃光発光部を備え、前記カメラに内蔵もしくは外付けされる第１閃光装置と、
第２閃光発光部と、受光部と、第２制御部とを備え、前記カメラとは別置される第２閃光装置とを有するカメラシステムであって、
前記第１制御部は、前記第１閃光発光部を発光させることで前記第２閃光発光部に予備発光するように指示するための予備発光指令を前記第２閃光装置へ送光し、
前記第２制御部は、前記予備発光指令を前記受光部で受光したときに前記第２閃光発光部を予備発光させ、
前記第１制御部は、前記第２閃光発光部による予備発光時に前記測光部で測光した測光値が予め定めたしきい値以上の場合には前記カメラと前記第２閃光装置との間の光による通信が可能と判断して前記撮像部による撮像を許可し、前記測光値が前記しきい値未満の場合には前記カメラと前記第２閃光装置との間の光による通信が不能と判断して前記撮像部による撮像を禁止することを特徴とするカメラシステム。
【請求項２】
請求項１に記載のカメラシステムにおいて、
前記第１制御部は、前記測光値が前記しきい値未満の場合には前記カメラと前記第２閃光装置との間の光による通信が不能と判断して前記撮像部による撮像を禁止するとともに警告を行うことを特徴とするカメラシステム。
【請求項３】
請求項１または請求項２に記載のカメラシステムにおいて、
前記予備発光指令は、本発光時の前記第２閃光発光部による発光量を示す発光量指令値を光パルス列でコード化した信号を含むことを特徴とするカメラシステム。
【請求項４】
請求項３に記載のカメラシステムにおいて、
前記カメラは、前記第２閃光発光部による予備発光時に前記測光部で測光される測光値に応じた本発光時の発光量を定めたテーブルを記憶する記憶部をさらに備え、
前記第１制御部は、前記発光量指令値で示される発光量が、前記第２閃光発光部による予備発光時に前記測光部で測光された測光値に対応する本発光時の発光量である適正発光量よりも小さいとき、本発光時の前記第２閃光発光部による発光量が前記適正発光量以上となる発光量指令値を光パルス列でコード化した信号を前記第２閃光装置へ送るように制御することを特徴とするカメラシステム。
【請求項５】
請求項４に記載のカメラシステムにおいて、
前記カメラは、本発光における最大発光量が前記適正発光量に満たない場合、予備発光時の測光値に応じて撮像信号に対するゲインを上げるゲイン調整部をさらに備えることを特徴とするカメラシステム。
【請求項６】
請求項１〜５のいずれかの項に記載のカメラシステムにおいて、
前記第１閃光発光部は本発光させずに前記第２閃光発光部を本発光させることを特徴とするカメラシステム。
【請求項７】
第１閃光発光部を備える第１閃光装置を内蔵もしくは外付けし、第２閃光発光部を備える別置の第２閃光装置を用いて閃光撮影を行うカメラであって、
被写体を撮像して画像データを出力する撮像部と、
被写体を測光する測光部と、
前記第１閃光発光部を発光させることで前記第２閃光発光部に予備発光するように指示するための予備発光指令を前記第２閃光装置へ送光し、前記第２閃光発光部による予備発光時に前記測光部で測光した測光値が予め定めたしきい値以上の場合には前記第２閃光装置との間の光による通信が可能と判断して前記撮像部による撮像を許可し、前記測光値が前記しきい値未満の場合には前記第２閃光装置との間の光による通信が不能と判断して前記撮像部による撮像を禁止する制御部とを備えることを特徴とするカメラ。
【請求項８】
請求項７に記載のカメラにおいて、
前記制御部は、前記測光値が前記しきい値未満の場合には前記第２閃光装置との間の光による通信が不能と判断して前記撮像部による撮像を禁止するとともに警告を行うことを特徴とするカメラ。
【請求項９】
請求項７または請求項８に記載のカメラにおいて、
前記予備発光指令は、本発光時の前記第２閃光発光部による発光量を示す発光量指令値を光パルス列でコード化した信号を含むことを特徴とするカメラ。
【請求項１０】
請求項９に記載のカメラにおいて、
前記第２閃光発光部による予備発光時に前記測光部で測光される測光値に応じた本発光時の発光量を定めたテーブルを記憶する記憶部をさらに備え、
前記制御部は、前記発光量指令値で示される発光量が、前記第２閃光発光部による予備発光時に前記測光部で測光された測光値に対応する本発光時の発光量である適正発光量よりも小さいとき、本発光時の前記第２閃光発光部による発光量が前記適正発光量以上となる発光量指令値を光パルス列でコード化した信号を前記第２閃光装置へ送るように制御することを特徴とするカメラ。
【請求項１１】
請求項１０に記載のカメラにおいて、
本発光における最大発光量が前記適正発光量に満たない場合、予備発光時の測光値に応じて撮像信号に対するゲインを上げるゲイン調整部をさらに備えることを特徴とするカメラ。
【請求項１２】
請求項７〜１１のいずれかの項に記載のカメラにおいて、
前記制御部は、前記第１閃光発光部は本発光させずに前記第２閃光発光部を本発光させることを特徴とするカメラ。
【発明の詳細な説明】
【技術分野】
【０００１】
本発明は、カメラシステムおよびカメラに関する。
【背景技術】
【０００２】
閃光装置（Electronic Flash；この明細書では“ストロボ”と呼ぶ）をカメラのアクセサリーシューに取り付けるとともに、増灯用ストロボを別置きにし、被写体を増灯シンクロ閃光撮影するカメラシステムが知られている（例えば、特許文献１参照）。
【０００３】
このカメラシステムでは、別置きのスレーブストロボ側でカメラ側のマスターストロボの発光量をモニターし、マスターストロボの発光開始に同期してスレーブストロボの発光を開始し、マスターストロボの発光停止に同期してスレーブストロボの発光を停止している。つまり、マスターストロボの閃光発光によりスレーブストロボと光による通信を行い、スレーブストロボの発光を制御している。
【０００４】
この出願の発明に関連する先行技術文献としては次のものがある。
【特許文献１】特開平１１−２１２１４８号公報
【発明の開示】
【発明が解決しようとする課題】
【０００５】
しかしながら、上述した従来のカメラシステムでは、マスターストロボとスレーブストロボとの間で光通信を行ってスレーブストロボの発光制御を行っているので、マスターストロボからの光が何らかの物体により遮蔽されると通信エラーが発生し、スレーブストロボが発光しないまま、マスターストロボが発光して通常の撮影動作が行われてしまうという問題がある。
【課題を解決するための手段】
【０００６】
本発明のカメラシステムは、被写体を撮像して画像データを出力する撮像部と、被写体を測光する測光部と、第１制御部とを備えるカメラと、前記第１制御部により発光が制御される第１閃光発光部を備え、前記カメラに内蔵もしくは外付けされる第１閃光装置と、第２閃光発光部と、受光部と、第２制御部とを備え、前記カメラとは別置される第２閃光装置とを有するカメラシステムであって、前記第１制御部は、前記第１閃光発光部を発光させることで前記第２閃光発光部に予備発光するように指示するための予備発光指令を前記第２閃光装置へ送光し、前記第２制御部は、前記予備発光指令を前記受光部で受光したときに前記第２閃光発光部を予備発光させ、前記第１制御部は、前記第２閃光発光部による予備発光時に前記測光部で測光した測光値が予め定めたしきい値以上の場合には前記カメラと前記第２閃光装置との間の光による通信が可能と判断して前記撮像部による撮像を許可し、前記測光値が前記しきい値未満の場合には前記カメラと前記第２閃光装置との間の光による通信が不能と判断して前記撮像部による撮像を禁止することを特徴とする。
本発明のカメラは、第１閃光発光部を備える第１閃光装置を内蔵もしくは外付けし、第２閃光発光部を備える別置の第２閃光装置を用いて閃光撮影を行うカメラであって、被写体を撮像して画像データを出力する撮像部と、被写体を測光する測光部と、前記第１閃光発光部を発光させることで前記第２閃光発光部に予備発光するように指示するための予備発光指令を前記第２閃光装置へ送光し、前記第２閃光発光部による予備発光時に前記測光部で測光した測光値が予め定めたしきい値以上の場合には前記第２閃光装置との間の光による通信が可能と判断して前記撮像部による撮像を許可し、前記測光値が前記しきい値未満の場合には前記第２閃光装置との間の光による通信が不能と判断して前記撮像部による撮像を禁止する制御部とを備えることを特徴とする。
【発明の効果】
【０００７】
本発明のカメラシステムおよびカメラによれば、閃光撮影を行う際に、カメラと別置の第２閃光装置による閃光発光がないまま閃光撮影が行われることを防止することができる。
【発明を実施するための最良の形態】
【０００８】
図１は一実施の形態の概要を示す。デジタルスチルカメラ１はポップアップ式の内蔵ストロボ（以下、マスターストロボという）２を備えている。別置型ストロボ（以下、スレーブストロボという）３は増灯用であり、フォトダイオード４ａ、４ｂによりマスターストロボ２の閃光発光を受光する。この一実施の形態では、マスターストロボ２とスレーブストロボ３とにより被写体５を照明して増灯シンクロ閃光撮影を行う。
【０００９】
図２により一実施の形態の増灯シンクロ閃光撮影について説明する。図２(ａ)は増灯シンクロ閃光撮影時のマスターストロボ２の発光量を示し、(ｂ)はスレーブストロボ３の発光量を示す。時刻ｔ１において、マスターストロボ２からスレーブストロボ３に対して、本発光に先立ち予備発光（プリ発光ともいう）を行うように指令する。この予備発光指令は、スレーブストロボ３の本発光時の発光量を光パルス列信号でコード化したものである。
【００１０】
スレーブストロボ３は、フォトダイオード４ａ、４ｂによりマスターストロボ２からの予備発光指令の光パルス列を受光し、時刻ｔ２で予備発光を行う。なお、予備発光時の発光量は予め設定された発光量である。
【００１１】
デジタルスチルカメラ１の測光用フォトダイオード（不図示、詳細後述）は、スレーブストロボ３の予備発光により照明された被写体５からの反射光を受光し、測光値が予め設定されたしきい値以上であればカメラ側のマスターストロボ２からの予備発光指令が正常にスレーブストロボ３で受光されている、すなわちカメラ側のマスターストロボ２と別置きのスレーブストロボ３との間の光通信が正常に行われていると判断する。
【００１２】
なお、予備発光による被写体反射光の測光値がしきい値より低い場合は、マスターストロボ２とスレーブストロボ３との間に障害物があり、両者間の光通信に障害が発生していると判断する。
【００１３】
デジタルスチルカメラ１はまた、スレーブストロボ３の予備発光時の被写体からの反射光の測光値に基づいて、予備発光指令によりスレーブストロボ３に指定した本発光時の発光量が充分か否かを判定する。デジタルスチルカメラ１には予備発光時の測光値に応じて本発光時の適正発光量を定めたテーブルが記憶されており、そのテーブルから予備発光時の被写体からの反射光測光値に対応する本発光時の適正発光量を表引き演算する。
【００１４】
デジタルスチルカメラ１は、予備発光指令によりスレーブストロボ３に指定した本発光時の発光量が適正発光量より低い場合には、少なくとも適正発光量以上の発光量に変更する。そして、本発光に先立つ時刻ｔ３において、カメラ側のマスターストロボ２から本発光量変更値をコード化した光パルス列を出力する。なお、本発光時の発光量が適正発光量以上の場合は本発光量の変更を行わない。
【００１５】
スレーブストロボ３は、フォトダイオード４ａ、４ｂでカメラ側マスターストロボ２からの本発光量変更指令を受光し、本発光時の発光量を変更する。スレーブストロボ３は、時刻ｔ２の予備発光から予め設定した時間Ｔ１後の時刻ｔ４において、予備発光指令により指定された発光量、もしくは本発光量変更指令により変更後の発光量で本発光を行う。
【００１６】
なお、この一実施の形態ではデジタルスチルカメラ１側のマスターストロボ２は、スレーブストロボ３に対する光通信専用とし、マスターストロボ２での本発光を行わない例を示すが、図２(ａ)に破線で示すように、マスターストロボ２でも本発光を行うようにしてもよい。マスターストロボ２とスレーブストロボ３の両方で本発光を行う場合には、両者の発光量の和が適正発光量以上となるようにそれぞれの発光量を設定すればよい。
【００１７】
このように、マスターストロボ２をスレーブストロボ３に対する光通信専用とすることによって、大きなガイドナンバーのストロボをデジタルスチルカメラ１に内蔵する必要がなくなり、デジタルスチルカメラ１の小型化を図ることができる。
【００１８】
一方、マスターストロボ２とスレーブストロボ３の両方で本発光を行う場合には、マスターストロボ２の本発光をスレーブストロボ３のフォトダイオード４ａ、４ｂにより検知し、マスターストロボ２の本発光の開始と停止に同期してスレーブストロボ３の本発光を開始と停止を制御すればよい。
【００１９】
図３は一実施の形態のデジタルスチルカメラ１の構成を示す。ＣＣＤ１１は撮影レンズ（不図示）により結像された被写体像を撮影する撮像素子であり、被写体像の明るさに応じたアナログ信号を画素ごとに出力する。入力回路１２はＣＣＤ１１からのアナログ信号に対してゲイン調整などの処理を行った後、Ａ／Ｄ変換してホワイトバランス調整、輪郭補償、ガンマ補正などの画像処理を行い、原画像データとして出力する。圧縮／伸張回路１３は原画像データをＪＰＥＧなどの所定の圧縮率で圧縮するとともに、圧縮画像データをもとの原画像データに伸張する。
【００２０】
フォトダイオード１４および測光回路１５は、被写界を測光して測光値を出力する。フォトダイオード１４および測光回路１５はまた、スレーブストロボ３の予備発光時の被写体５からの反射光を測光する。スイッチ１６はデジタルスチルカメラ１の電源スイッチであり、スイッチ１７はシャッターレリーズ・スイッチである。
【００２１】
コントローラー１８はＣＰＵ１８ａ、ＲＯＭ１８ｂ、ＲＡＭ１８ｃ、ＥＥＰＲＯＭ１８ｄなどを備え、焦点検出演算、測光演算、露出演算などの各種演算を行う他、カメラのシーケンス制御、マスターストロボ２とスレーブストロボ３との間の光通信制御などを行う。ＥＥＰＲＯＭ１８ｄには、予備発光時の測光値に応じて本発光時の適正発光量を定めたテーブルを記憶する。
【００２２】
バッファーメモリ１９は撮影後の原画像データおよび圧縮後の圧縮画像データを一時的に記憶するメモリであり、ＳＲＡＭ、ＶＲＡＭ、ＳＤＲＡＭなどを用いることができる。メモリカード２０は取り外し可能な記録媒体であり、フラッシュメモリなどを用いることができる。ＬＣＤ２１は露出値、コマ数などの撮影情報を表示する。
【００２３】
モニター２３は、ＣＣＤ１１により撮影した原画像データからモニタ画像生成回路２２により表示用画像データを生成して表示するとともに、再生モード設定時にはメモリカード２０から読み出した圧縮画像データを圧縮／伸張回路１３により伸長し、モニター画像生成回路２２により表示用画像データを生成して表示する。ストロボ発光部２４は上述したマスターストロボ２の閃光部である。
【００２４】
図４はスレーブストロボ３の構成を示す。フォトダイオード４ａ、４ｂはマスターストロボ２からの光パルス列信号を受光する。なお、図１に示すようにスレーブストロボ３の側面と背面に２個のフォトダイオード４ａ、４ｂを設けたのは、マスターストロボ２、スレーブストロボ３および被写体５の位置関係によってマスターストロボ２からの光パルス列信号の入射方向が変化するので、あらゆる位置関係に対応できるようにするためである。コントローラー３１はＣＰＵ３１ａ、ＲＯＭ３１ｂ、ＲＡＭ３１ｃ、タイマー３１ｄなどを備え、ストロボ発光部３２の発光制御を行う。
【００２５】
図５(ａ)および図６はデジタルスチルカメラ１およびマスターストロボ２の動作を示すフローチャートである。また、図５(ｂ)はスレーブストロボ３の動作を示すフローチャートである。これらのフローチャートにより、一実施の形態の動作を説明する。ステップ１において、カメラ１のレリーズスイッチ１７がオンすると、カメラ１のコントローラー１８は図５(ａ)および図６に示す動作を開始する。
【００２６】
ステップ２でスレーブストロボ３へ予備発光指令を送信する。上述したように、この予備発光指令はスレーブストロボ３の本発光時の発光量を光パルス列信号でコード化したものである。
【００２７】
スレーブストロボ３のコントローラー３１は、ステップ２１においてフォトダイオード４ａ、４ｂによりマスターストロボ２からの予備発光指令の光パルス列信号を受光し、フォトダイオード４ａ、４ｂの受光信号レベルを予め設定したしきい値と比較する。受光信号レベルがしきい値以上であればマスターストロボ２からの予備発光指令を受光したと判断し、予備発光指令の光パルス列信号をデコードして本発光時の発光量指令値を求め、ＲＡＭ３１ｃに記憶する。次に、ステップ２２へ進んでストロボ発光部３２により予め設定した発光量で予備発光を行う。さらに、ステップ２３でタイマー３１ｄによる計時を開始する。
【００２８】
デジタルスチルカメラ１のコントローラー１８は、ステップ３においてスレーブストロボ３の予備発光による被写体５からの反射光をフォトダイオード１４により受光し、測光する。続くステップ４で測光値が予め設定したしきい値以上か否かを確認する。予備発光時の測光値がしきい値以上の場合はステップ５へ進み、スレーブストロボ３が予備発光指令に応答して予備発光を行い、スレーブストロボ３との間の光通信が正常に行われたと判断する。
【００２９】
マスターストロボ２とスレーブストロボ３との間の光通信が正常に行われた場合は、ステップ６において、ＥＥＰＲＯＭ１８ｄに記憶されている予備発光時の測光値に応じた適正本発光量を定めたテーブルから、予備発光時の被写体５からの反射光測光値に対応する適正本発光量を表引き演算する。
【００３０】
ステップ７において、予備発光指令送信時（ステップ２）の本発光量指令値が適正本発光量以上か否かを判定し、本発光量指令値が適正本発光量以上の場合はステップ１０へ進み、本発光量指令値が適正本発光量未満の場合はステップ８へ進む。本発光量指令値が適正本発光量未満の場合は、ステップ８で本発光量指令値を適正本発光量以上の発光量に変更し、続くステップ９で変更後の本発光量指令値を表す光パルス列信号にコード化してスレーブストロボ３へ送信する。
【００３１】
なお、スレーブストロボ３の発光量を最大にしても本発光時の適正発光量を満たさない場合には、入力回路１２においてＣＣＤ１１から読み出した画像信号に対するゲインを上げる。以上で撮影準備が完了したのでステップ１０へ進み、シャッター（不図示）を開放してＣＣＤ１１による撮像を開始する。
【００３２】
スレーブストロボ３のコントローラー３１は、ステップ２４でマスターストロボ２からの本発光量変更指令を受信し、ＲＡＭ３１ｃに記憶されている本発光量指令値を変更する。続くステップ２５でタイマー３１ｄの計時時間が所定時間Ｔ１になったかどうかを確認し、予備発光開始からの経過時間が所定時間Ｔ１になったらステップ２６へ進み、ストロボ発光部３２によりＲＡＭ３１ｃに記憶されている本発光量指令値にしたがって本発光を行う。
【００３３】
デジタルスチルカメラ１のコントローラー１８は、撮像後の図６のステップ１４においてＣＣＤ１１から画像を読み出し、続くステップ１５で入力回路１２および圧縮／伸長回路１３により画像処理を行う。さらに、ステップ１６でメモリカード２０へ画像を記録する。
【００３４】
一方、ステップ４において予備発光時の測光値がしきい値未満の場合は図６のステップ１１へ進み、マスターストロボ２とスレーブストロボ３との間の光通信に異常があり、スレーブストロボ３において予備発光が行われなかったと判断する。この場合は、ステップ１２でＣＣＤ１１による撮像を禁止し、続くステップ１３でＬＣＤ２１に警告表示を行うとともにブザー（不図示）により警報を行う。
【００３５】
なお、マスターストロボ２とスレーブストロボ３との間の光通信に障害があり、スレーブストロボ３で予備発光が行われなかった場合には、撮像を禁止せずに入力回路１２の画像信号に対するゲインを上げ、強制的に撮像を行い、画像処理を行って画像を記録するようにしてもよい。
【００３６】
このように、一実施の形態によれば、マスターストロボ２のストロボ発光部２４を発光させて別置のスレーブストロボ３へ予備発光指令の光信号を送光し、別置のスレーブストロボ３ではフォトダイオード４ａ、４ｂで予備発光指令の光信号を受光したときにストロボ発光部３２により予備発光を行い、デジタルスチルカメラ１によって、フォトダイオード１４および測光回路１５により別置のスレーブストロボ３の予備発光時の被写界を測光し、その測光値が予め定めたしきい値以上の場合にはデジタルスチルカメラ１と別置のスレーブストロボ３との間の光による通信が可能と判断し、撮像を許可するようにしたので、増灯シンクロ閃光撮影を行う際に、カメラ側のマスターストロボと別置のスレーブストロボとの間の光通信の異常を確実に検出でき、閃光発光がないまま、あるいは不充分なままで増灯シンクロ閃光撮影が行われるのを防止することができる。
【００３７】
また、一実施の形態によれば、予備発光指令を、別置のスレーブストロボ３の本発光時の発光量指令値を光パルス列でコード化した信号としたので、別置のスレーブストロボ３に対する予備発光指令と本発光量指令とを１回の光通信で合理的に送信することができる。
【００３８】
さらに、一実施の形態によれば、予備発光時の測光値に応じて本発光時の適正発光量を定めたテーブルを記憶しておき、テーブルから予備発光時の測光値に対応する本発光時の適正発光量を読み出し、発光量指令値が適正発光量より少ない場合は発光量指令値を適正発光量以上に変更し、変更後の発光量指令値を光パルス列でコード化してデジタルスチルカメラ１のストロボ発光部２４から別置のスレーブストロボ３へ送光するようにしたので、被写体を適正に照明して増灯シンクロ閃光撮影を行うことができる。
【００３９】
一実施の形態によれば、別置のスレーブストロボ３の最大発光量が適正発光量に満たない場合に、予備発光時の測光値に応じてＣＣＤ１１から出力される撮像信号に対するゲインを上げるコントローラー１８を備えたので、ストロボの発光量が不足していても増灯シンクロ閃光撮影を行うことができ、シャッターチャンスを確実に捉えることができる。
【００４０】
一実施の形態によれば、デジタルスチルカメラ１のストロボ発光部２４は本発光を行わず、別置のスレーブストロボ３のストロボ発光部３２でのみ、本発光を行うようにしたので、大きなガイドナンバーのストロボをデジタルスチルカメラに内蔵する必要がなくなり、デジタルスチルカメラの小型化を図ることができる。
【００４２】
なお、上述した一実施の形態ではマスターストロボと１台のスレーブストロボとにより増灯シンクロ閃光撮影を行うカメラシステムを例に上げて説明したが、マスターストロボと２台以上のスレーブストロボとにより多灯シンクロ閃光撮影を行うカメラシステムに対しても本願発明を適用できる。
【００４３】
また、上述した一実施の形態ではマスターストロボ２をデジタルスチルカメラ１に内蔵した例を示したが、マスターストロボをデジタルスチルカメラのアクセサリーシューを介して外付けとしてもよいし、あるいはマスターストロボをデジタルスチルカメラから切り離してケーブルで接続してもよい。
【００４４】
さらに、上述した一実施の形態ではデジタルスチルカメラを例に上げて説明したが、本発明はデジタルスチルカメラに限定されず、銀塩フィルムを用いるカメラにも適用することができ、上述した効果と同様な効果を得ることができる。
【図面の簡単な説明】
【００４５】
【図１】一実施の形態のカメラシステムの概要を示す図である。
【図２】一実施の形態の増灯シンクロ撮影時の動作を示す図である。
【図３】一実施の形態のデジタルスチルカメラの構成を示す図である。
【図４】一実施の形態のスレーブストロボの構成を示す図である。
【図５】一実施の形態の動作を示すフローチャートである。
【図６】図５に続く、一実施の形態の動作を示すフローチャートである。
【符号の説明】
【００４６】
１  デジタルスチルカメラ
２  マスターストロボ
３  スレーブストロボ
４ａ、４ｂ  フォトダイオード
５  被写体
１１  ＣＣＤ
１２  入力回路
１３  圧縮／伸長回路
１４  フォトダイオード
１５  測光回路
１６  電源スイッチ
１７  レリーズスイッチ
１８  コントローラー
１８ａ  ＣＰＵ
１８ｂ  ＲＯＭ
１８ｃ  ＲＡＭ
１８ｄ  ＥＥＰＲＯＭ
１９  バッファーメモリ
２０  メモリカード
２１  ＬＣＤ
２２  モニター画像生成回路
２３  モニター
２４  ストロボ発光部
３１  コントローラー
３１ａ  ＣＰＵ
３１ｂ  ＲＯＭ
３１ｃ  ＲＡＭ
３１ｄ  タイマー
３２  ストロボ発光部
【図１】
0004661035.tif 000002
【図２】
0004661035.tif 000003
【図３】
0004661035.tif 000004
【図４】
0004661035.tif 000005
【図５】
0004661035.tif 000006
【図６】
0004661035.tif 000007